(57)【要約】【課題】供給マガジンが移動しても感光材料の先端部を適正に検出可能な写真処理装置を提供する。【解決手段】  供給マガジンの側壁９３、９４に、所定形状の内側面を有する切り欠き９５、９６を形成すると共に、その内側面に反射板９７、９８を配置する。すると、供給マガジンが第１位置に配置されている状態では、先端検出センサ２２の発光部２２ａから出射された光は、切り欠き９５、９６を通過するように直進して受光部２２ｂに到達する。一方、供給マガジンが第２位置に配置されている状態では、発光部２２ａから出射された光は、反射板９７、９８で複数回反射することにより、切り欠き９５、９６を通過して、受光部２２ｂに到達する。【選択図】図７
2007033922.tif 000002
【特許請求の範囲】
【請求項１】
感光材料に露光を施して写真プリントを作成する写真処理装置において、
巻回された長尺の感光材料を格納し、その周囲を側壁によって囲まれた排出口から感光材料を排出可能な供給マガジンと、
前記供給マガジンを収容する収容室が形成された筐体と、
前記収容室内において前記供給マガジンを感光材料の幅方向に移動させることが可能な移動機構と、
前記供給マガジンの前記排出口から排出される感光材料の搬送経路を挟んで対向するように配置された一対の発光部及び受光部を有するセンサとを備えており、
前記供給マガジンの側壁には、前記移動機構により前記供給マガジンが移動させられた場合でも、前記排出口から感光材料が排出されていないときに、前記センサの前記発光部から出射された光が前記受光部で受光されるようにするための光路形成部が形成されていることを特徴とする写真処理装置。
【請求項２】
前記移動機構は、前記供給マガジンが少なくとも第１位置及び第２位置に配置されるように前記供給マガジンを移動させることが可能であって、
前記光路形成部は、
前記側壁に形成された切り欠きと、
前記切り欠きの内側面に配置された反射板とを有しており、
前記切り欠きは、前記供給マガジンが第１位置に配置された状態において前記発光部から出射された光が前記受光部に向かって直進するときの光路に対応した位置に形成されると共に、前記供給マガジンが第２位置に配置された状態において前記発光部から出射された光が前記反射板による反射を経て前記受光部に到達するような形状になっていることを特徴とする請求項１に記載の写真処理装置。
【請求項３】
前記移動機構は、前記供給マガジンが少なくとも第１位置及び第２位置に配置されるように前記供給マガジンを移動させることが可能であって、
前記光路形成部は、
前記側壁に形成された切り欠きと、
前記切り欠きの内側面に配置された反射板とを有しており、
前記切り欠きは、前記供給マガジンが第１位置に配置された状態において前記発光部から出射された光が前記反射板による反射を経て前記受光部に到達し、且つ、前記供給マガジンが第２位置に配置された状態において前記発光部から出射された光が前記反射板による反射を経て前記受光部に到達するような形状になっていることを特徴とする請求項１に記載の写真処理装置。
【請求項４】
前記移動機構は、前記供給マガジンが少なくとも第１位置及び第２位置に配置されるように前記供給マガジンを移動させることが可能であって、
前記光路形成部は、前記供給マガジンが第１位置に配置された状態において前記発光部から出射された光が前記受光部に向かって直進するときの光路に対応した位置、及び、前記供給マガジンが第２位置に配置された状態において前記発光部から出射された光が前記受光部に向かって直進するときの光路に対応した位置を含む領域に形成された切り欠きであることを特徴とする請求項１に記載の写真処理装置。
【請求項５】
前記光路形成部は、１つの切り欠きであることを特徴とする請求項４に記載の写真処理装置。
【発明の詳細な説明】
【技術分野】
【０００１】
本発明は、供給マガジンから引き出された長尺の感光材料に対して露光処理を施すことによって写真プリントを作成する写真処理装置に関するものである。
【背景技術】
【０００２】
近年、感光材料に露光を施して写真プリントを作成する写真処理装置においては、フィルムを撮像することによって得られたディジタル画像信号に基づいて制御された光で感光材料を露光するディジタル露光方式が実用化されている。ディジタル露光方式を採用することにより、色補正、濃度補正や鮮鋭化処理、部分的な画像補正などの各種画像処理を自由に行うことができるとともに迅速な焼き増し処理が可能になり、さらに、色および濃度の再現性や解像度に優れたより高画質の良好なプリントを得ることが可能となる。
【０００３】
かかる写真処理装置に備えられている露光装置の一つとして、例えば、Ｒ（赤）、Ｇ（緑）、Ｂ（青）の３色の光を出射する光源と、主走査方向（感光材料の搬送方向と直交する方向）に沿って複数の素子（例えば、ＰＬＺＴ方式においては、光源から出射された光を遮蔽する状態と透過する状態とを切り換えることができる光シャッタ素子）が配置された露光ヘッドを用いたライン露光装置がある。ライン露光装置では、副走査方向に搬送される感光材料と主走査方向に延在する露光ヘッドとを対向させて、感光材料に露光処理を施す。また、露光ヘッドにおける複数の素子の配列長さ（有効露光幅）は、当該露光ヘッドが備えられた露光装置で用いられる種々の感光材料の最大幅よりも広くなっている。これにより、感光材料が主走査方向に位置ずれした状態で印画紙が搬送された場合であっても、感光材料の全面に露光処理を施すことが可能となる。
【０００４】
露光ヘッドに配置された複数の素子は、個体差や経年変化により互いにその特性が異なる。各素子の特性のバラツキは、画像品質を大きく低下させる要因となる。したがって、各素子の特性のバラツキを調整する、すなわちユニフォミティの補正を行う必要がある。特許文献１には、ユニフォミティの補正方法として、まず、露光ヘッドと感光材料とを対向させた状態で感光材料に露光処理を施すことによって潜像を形成し、次に現像処理によって画像を顕在化させた後、スキャナによって画像の濃度を読み取って、各素子に対する補正テーブルを生成する方法が記載されている。
【特許文献１】特開２０００−２３３５２８号公報
【発明の開示】
【発明が解決しようとする課題】
【０００５】
しかしながら、上述のように、露光ヘッドの有効露光幅は感光材料の最大幅よりも広いので、特許文献１に記載の方法では、感光材料と対向しない領域に配置された素子についてはユニフォミティの補正を行うことができない。そこで、供給マガジンを主走査方向に移動させ、露光ヘッドによる露光領域における感光材料の搬送経路を露光ヘッドの複数の素子の配列方向である主走査方向に沿って移動させることによって、感光材料の最大幅よりも広い幅でユニフォミティのためのテスト露光を行うことが考えられる。
【０００６】
ところで、写真処理装置には、供給マガジンの排出口から排出される感光材料の搬送経路において感光材料の先端部を検出する先端検出センサが設けられている。そのため、供給マガジンの排出口を囲む側壁には、先端検出センサの発光部から出射された光が受光部に向かって直進可能にするための切り欠きが形成されている。しかしながら、上述のように、ユニフォミティのためのテスト露光を行う際に供給マガジンを主走査方向に移動させた場合には、供給マガジンの移動に伴って、先端検出センサの発光部から受光部に向かう光路が供給マガジンの側壁により常に遮られることになり、感光材料の先端部を検出できなくなるという問題が生じる。
【０００７】
そこで、本発明の目的は、供給マガジンが移動しても感光材料の先端部を適正に検出可能な写真処理装置を提供することである。
【課題を解決するための手段および発明の効果】
【０００８】
本発明の写真処理装置は、感光材料に露光を施して写真プリントを作成する写真処理装置において、巻回された長尺の感光材料を格納し、その周囲を側壁によって囲まれた排出口から感光材料を排出可能な供給マガジンと、前記供給マガジンを収容する収容室が形成された筐体と、前記収容室内において前記供給マガジンを感光材料の幅方向に移動させることが可能な移動機構と、前記供給マガジンの前記排出口から排出される感光材料の搬送経路を挟んで対向するように配置された一対の発光部及び受光部を有するセンサとを備えており、前記供給マガジンの側壁には、前記移動機構により前記供給マガジンが移動させられた場合でも、前記排出口から感光材料が排出されていないときに、前記センサの前記発光部から出射された光が前記受光部で受光されるようにするための光路形成部が形成されている。
【０００９】
この構成によると、ユニフォミティのためのテスト露光を行う際に供給マガジンを主走査方向に移動させた場合でも、供給マガジンの移動に伴って、先端検出センサの発光部から受光部に向かう光路が供給マガジンの側壁により遮られることがなくなり、発光部から出射された光は受光部に到達するので、感光材料の先端部を適正に検出することができる。
【００１０】
本発明の写真処理装置において、前記移動機構は、前記供給マガジンが少なくとも第１位置及び第２位置に配置されるように前記供給マガジンを移動させることが可能であって、前記光路形成部は、前記側壁に形成された切り欠きと、前記切り欠きの内側面に配置された反射板とを有しており、前記切り欠きは、前記供給マガジンが第１位置に配置された状態において前記発光部から出射された光が前記受光部に向かって直進するときの光路に対応した位置に形成されると共に、前記供給マガジンが第２位置に配置された状態において前記発光部から出射された光が前記反射板による反射を経て前記受光部に到達するような形状になっていてもよい。
【００１１】
本発明の写真処理装置において、前記移動機構は、前記供給マガジンが少なくとも第１位置及び第２位置に配置されるように前記供給マガジンを移動させることが可能であって、前記光路形成部は、前記側壁に形成された切り欠きと、前記切り欠きの内側面に配置された反射板とを有しており、前記切り欠きは、前記供給マガジンが第１位置に配置された状態において前記発光部から出射された光が前記反射板による反射を経て前記受光部に到達し、且つ、前記供給マガジンが第２位置に配置された状態において前記発光部から出射された光が前記反射板による反射を経て前記受光部に到達するような形状になっていてもよい。
【００１２】
この構成によると、排出口の周囲の側壁に形成される切り欠きの幅を出来るだけ小さくすることができる。そのため、供給マガジン内に収納される感光材料に光があたらないようにする遮光性を維持し易くなり、感光材料が無駄になるのを抑制することができる。
【００１３】
本発明の写真処理装置において、前記移動機構は、前記供給マガジンが少なくとも第１位置及び第２位置に配置されるように前記供給マガジンを移動させることが可能であって、前記光路形成部は、前記供給マガジンが第１位置に配置された状態において前記発光部から出射された光が前記受光部に向かって直進するときの光路に対応した位置、及び、前記供給マガジンが第２位置に配置された状態において前記発光部から出射された光が前記受光部に向かって直進するときの光路に対応した位置を含む領域に形成された切り欠きであってもよい。
【００１４】
この構成によると、排出口の周囲の側壁に形成される切り欠きを、発光部から出射された光が反射板による反射を経て受光部に到達するような形状に形成しなくてもよいので、切り欠きの形成工程が簡略化される。
【００１５】
本発明の写真処理装置において、前記光路形成部は、１つの切り欠きであってもよい。
【００１６】
この構成によると、切り欠きの形成工程がより簡略化される。
【発明を実施するための最良の形態】
【００１７】
以下、本発明の好適な実施の形態について、図面を参照しつつ説明する。図１は、本実施の形態に係る写真処理装置の概略構成を示す図である。
【００１８】
図１に示すように、写真処理装置１には、フィルムを撮像することによって得られたディジタル画像信号に基づいて、その内部で印画紙２に対して露光処理が行われるプリント筐体３と、その内部で露光処理済みの印画紙２に対して現像・乾燥処理が行われるプロセッサ筐体４とが設けられている。つまり、写真処理装置１内では、プリント筐体３からプロセッサ筐体４に向かって印画紙２が搬送されて処理が行われる。
【００１９】
プリント筐体３の上部には、モニタ５とスキャナ装置６とが設けられている。スキャナ装置６には、ネガキャリア７が着脱自在に構成されており、ネガキャリア７に挿入されたネガフィルムのコマ画像を読み取ることができる。モニタ５は、スキャナ装置６により読み取られたコマ画像を映し出すことができる。モニタ５やスキャナ装置６の手前側には、操作テーブル８が設けられている。操作テーブル８には、各種のデータの入力や写真処理装置１に対する指示入力を行うための操作卓９が設けられている。また、プリント筐体３の内部には、長尺の巻回された印画紙２を格納する供給マガジン９０を収容するための収容室１０が形成されている。なお、供給マガジン９０は、その内部に格納されている印画紙２の幅方向が写真処理装置１の奥行き方向と一致するように収容される。そして、プリント筐体３の正面（図１において、紙面右手前側面）には、収容室１０を開閉するための扉体１１が設けられている。
【００２０】
図２は、扉体１１を開いた状態を示す図である。図２に示すように、扉体１１は開き扉である。そして、扉体１１の収容室１０側の面には、収容室１０内に突出するように配置されたピン２０が設けられている。ピン２０は、図示しないばねを介して扉体１１に支持されている。したがって、扉体１１を閉めた状態で、ピン２０の先端部が収容室１０内に収容された供給マガジン９０に当接したときには、供給マガジン９０は、ピン２０を支持するばねの弾性力によって、収容室１０の奥に向かって付勢される。
【００２１】
また、図２に示すように、供給マガジン９０は、マガジン台３２に載置されている。供給マガジン１０が収容されていない収容室１０内を写真処理装置１の前面から観た図である図３に示すように、マガジン台３２は、矩形形状の底面３２ａと４つの側面３２ｂとを有している。マガジン台３２は、印画紙２の幅方向に沿って移動可能であり、扉体１１を開いた状態で、収容室１０の外まで引き出すことができる。したがって、マガジン台３２を収容室１０の外に引き出した状態で、マガジン台３２に供給マガジン９０を載置することができるので、写真処理装置１のオペレータは、容易に供給マガジン９０を写真処理装置１にセットすることができる。
【００２２】
また、収容部１０内に収容された供給マガジン９０は、図４に示すように、印画紙２の幅方向に沿って移動可能である。つまり、通常のプリントが行われる場合には、供給マガジン９０は、図４で一点鎖線で図示される搬送経路（通常の搬送経路）に沿って印画紙２が搬送される位置に配置される。そして、ユニフォミティの補正が行われる場合には、供給マガジン９０は、図４において印画紙２が通常の搬送経路より手前側または奥側を搬送される位置に移動させられる。そのため、供給マガジン９０は、図４で実線で示す第１位置及び図４で破線で示す第２位置を取り得る。従って、写真処理装置１内における印画紙２の搬送経路を印画紙２の幅方向に沿って移動させることができる。なお、収容室１０内で供給マガジン９０が移動する際には、マガジン台３２も供給マガジン９０に連動して移動する。
【００２３】
さらに、図２に示すように、収容室１０内に収容された供給マガジン９０の上方には、供給マガジン９０に格納された印画紙２を引き出して、露光処理が行われる露光位置まで搬送するためのローラ２１や、印画紙の先端部を検出する先端検出センサ２２（図６参照）や、印画紙２に対して露光処理を施す露光ヘッド（図示せず）等を支持するためのフレーム２５等が配置されている。なお、フレーム２５は、プリント筐体３に固定されている。
【００２４】
図１に戻って、プロセッサ筐体４には、プリント筐体３及びプロセッサ筐体４内で所定の処理が施された印画紙２を仕上がり写真プリントとして筐体外に排出するプリント排出部１２が設けられている。そして、プロセッサ筐体４の上部には、プリント排出部１２から排出された写真プリントを受け止めて搬送する横送りコンベア１３と、横送りコンベア１３によって搬送された写真プリントを受け取りオーダ単位で仕分けた状態で搬送するオーダコンベア１４とが配置されている。
【００２５】
次に、供給マガジン９０の構造について、図５を参照しつつ説明する。なお、供給マガジン９０が収容室１０に収容された際には、図５において、紙面右奥側が装置手前側、紙面左手前側が装置奥側となる。以下の説明において、装置手前側から奥側に向かう方向（図５において、矢印Ｂで示す方向）を「収容方向」と称する。供給マガジン９０は、略直方体形状であり、内部に格納された印画紙２が排出される排出口９２を有している。排出口９２は、供給マガジン９０の上面における収容方向に沿う一辺に対応する側壁９３と、側壁９３から所定距離だけ離隔した側壁９４との間に形成されている。
【００２６】
ここで、側壁９３には切り欠き９５が形成されており、側壁９４には切り欠き９６が形成されている。切り欠き９５と切り欠き９６とは排出口９２の伸延方向に関してほぼ同じ位置に配置されている。切り欠き９５、９６は、供給マガジン９０の排出口９２から排出される印画紙の先端部を検出するための先端検出センサ２２による検出位置となる。図６は、側壁９３、９４の切り欠き９５、９６近傍の上面図である。切り欠き９５は、側壁９３の排出口２２側では互いに平行な内側面を有しており、その内側面が、側壁９３の中央位置を境界として、その反対側に向かって広がるように傾斜している。一方、切り欠き９６は、側壁９４の排出口２２と反対側では互いに平行な内側面を有しており、その内側面が、側壁９４の中央位置を境界として、排出口２２に向かって狭くなるように傾斜している。また、切り欠き９５、９６の内側面には、反射板９７、９８が配置されている。なお、切り欠き９５、９６の内側面の傾斜角度は、後述するように、供給マガジン９０が第１位置または第２位置に移動した場合でも、先端検出センサ２２の発光部２２ａから出射された光が、反射板９７、９８による反射を経て受光部２２ｂに到達するように設定されている。
【００２７】
ここで、図６では、収容室１０内に収容された供給マガジン９０と収容室１０の上方に配置された先端検出センサ２２との位置関係を説明するために、先端検出センサ２２が破線で図示されている。つまり、供給マガジン９０が収容室１０内に収容されると、先端検出センサ２２は、供給マガジン９０の切り欠き９５、９５近傍に配置されることになる。なお、図６では、供給マガジン９０が通常のプリントが行われる場合の位置に配置された状態が図示されている。先端検出センサ２２は、光を出射する発光部２２ａと、発光部２２ａから出射された光を受光する受光部２２ｂとを有している。そして、切り欠き９５、９６は、図６から分かるように、発光部２２ａから出射された光が受光部２２ｂに向かうときの光路に対応した位置に配置されている。ここで、発光部２２ａが供給マガジン９０から排出された印画紙の裏面側に配置されており、受光部２２ｂが供給マガジン９０から排出された印画紙の露光面側に配置されている。
【００２８】
従って、発光部２２ａから出射された光が受光部２２ｂで受光された場合には、先端検出センサ２２による検出位置に印画紙がない（供給マガジン９０から印画紙が排出されていない）ことになり、一方、発光部２２ａから出射された光が受光部２２ｂで受光されない場合には、先端検出センサ２２による検出位置に印画紙がある（供給マガジン９０から印画紙が排出されている）ことになる。そのため、先端検出センサ２２による検出位置に印画紙がない状態から印画紙がある状態に切り換わるのを検出することにより、印画紙の先端部が供給マガジン９０から排出されたこと及び印画紙の先端部が供給マガジン９０内に巻き戻されたことを検出することができる。なお、供給マガジン９０を移動させる際には、一旦、印画紙が供給マガジン９０内に巻き戻される。その後、供給マガジン９０の移動が行われるが、上述したように、印画紙の先端部が供給マガジン９０内に巻き戻されたことを検出することにより、供給マガジン９０の移動を適正に行うことが可能になる。
【００２９】
ここで、上述したように、収容部１０内に収容された供給マガジン９０は、印画紙２の幅方向に沿って移動可能であり、第１位置に配置されている状態と第２位置に配置されている状態とでは、先端検出センサ２２と切り欠き９５、９６との位置関係が変化する。図７は、先端検出センサと切り欠きとの位置関係を示す図である。図７（ａ）は、供給マガジン９０が第１位置に配置されている状態を示し、図７（ｂ）は、供給マガジン９０が第２位置に配置されている状態を示している。
【００３０】
供給マガジン９０が第１位置に配置されている状態では、図７（ａ）に示すように、先端検出センサ２２の発光部２２ａと受光部２２ｂとが切り欠き９５、９６の内側で対向しておらず、発光部２２ａから出射された光は、切り欠き９５、９６を通過するように直進して受光部２２ｂに到達することはできない。そこで、発光部２２ａから出射された光は、反射板９７、９８で複数回反射することにより、切り欠き９５、９６を通過して、受光部２２ｂに到達する。また同様に、供給マガジン９０が第２位置に配置されている状態では、図７（ｂ）に示すように、先端検出センサ２２の発光部２２ａと受光部２２ｂとが切り欠き９５、９６の内側で対向しておらず、発光部２２ａから出射された光は、切り欠き９５、９６を通過するように直進して受光部２２ｂに到達することはできない。そこで、発光部２２ａから出射された光は、反射板９７、９８で複数回反射することにより、切り欠き９５、９６を通過して、受光部２２ｂに到達する。
【００３１】
以上のように、本実施の形態の写真処理装置１では、ユニフォミティのためのテスト露光を行う際に供給マガジン９０を主走査方向に移動させた場合でも、供給マガジン９０の移動に伴って、先端検出センサ２２の発光部２２ａから受光部２２ｂに向かう光路が供給マガジン９０の側壁９３、９４により遮られることがなくなり、発光部２２ａから出射された光は受光部２２ｂに到達するので、印画紙の先端部を適正に検出することができる。
【００３２】
また、発光部２２ａから出射された光は、切り欠き９５、９６の内周面に配置された反射板９７、９８による反射を経て、受光部２２ｂに到達するので、排出口９２の周囲の側壁９３、９４に形成される切り欠き９５、９６の幅を出来るだけ小さくすることができる。そのため、供給マガジン９０内に格納される印画紙に光があたらないようにする遮光性を維持し易くなり、印画紙が無駄になるのを抑制することができる。
【００３３】
次に、本発明の第１の実施の形態の変形例について、図面を参照しつつ説明する。図８は、本発明の第１の実施の形態の変形例における先端検出センサと切り欠きとの位置関係を示す図である。図８（ａ）は、供給マガジン９０が第１位置に配置されている状態を示し、図８（ｂ）は、供給マガジン９０が第２位置に配置されている状態を示している。
【００３４】
本変形例では、供給マガジン９０が第１位置に配置されている状態では、図８（ａ）に示すように、先端検出センサ２２の発光部２２ａと受光部２２ｂとが切り欠き９５、９６の内側（図８では切り欠き９５、９６の右端部近傍）で対向しており、発光部２２ａから出射された光は、切り欠き９５、９６を通過するように直進して受光部２２ｂに到達する。一方、供給マガジン９０が第２位置に配置されている状態では、図８（ｂ）に示すように、先端検出センサ２２の発光部２２ａと受光部２２ｂとが切り欠き９５、９６の内側で対向しておらず、発光部２２ａから出射された光は、切り欠き９５、９６を通過するように直進して受光部２２ｂに到達することはできない。そこで、発光部２２ａから出射された光は、反射板９７、９８に複数回反射することにより、切り欠き９５、９６を通過して、受光部２２ｂに到達する。
【００３５】
従って、本変形例においても、第１の実施の形態と同様の効果を得ることができる。このように、供給マガジン９０が第１位置に配置されている状態及び供給マガジン９０が第２位置に配置されている状態の一方では、発光部２２ａから出射された光は、切り欠き９５、９６を通過するように直進して受光部２２ｂに到達し、他方では、発光部２２ａから出射された光は、反射板９７、９８に複数回反射することにより、切り欠き９５、９６を通過して、受光部２２ｂに到達してもよい。なお、本変形例では、側壁９３、９４の切り欠き９５、９６の一端部の内側面（図８では右端部の内側面）は傾斜面に加工されていなくても、供給マガジン９０が第１位置または第２位置のどちらに配置されている状態においても、発光部２２ａから出射された光は受光部２２ｂに到達すると考えられる。
【００３６】
次に、本発明の第２の実施の形態について、図面を参照しつつ説明する。図９は、本発明の第２の実施の形態に係る写真処理装置に収容される供給マガジンの構成を示す図である。
【００３７】
第２の実施の形態の写真処理装置に収容される供給マガジン１９０が、第１の実施の形態の写真処理装置に収容される供給マガジン９０と異なる点は、供給マガジン９０では、排出口９２の周囲の側壁９３、９４に切り欠き９５、９６が形成されると共に、その内周面に反射板９７、９８が配置されているが、供給マガジン１９０では、比較的広い幅の切り欠き１９５、１９６が形成されるだけである。なお、写真処理装置のその他の構成は、図１の写真処理装置１と同一であるので、説明を省略する。
【００３８】
ここで、供給マガジン１９０の構造について、図９を参照しつつ説明する。供給マガジン１９０は、略直方体形状であり、内部に格納された印画紙２が排出される排出口１９２を有している。排出口１９２は、供給マガジン１９０の上面における収容方向に沿う一辺に対応する側壁１９３と、側壁１９３から所定距離だけ離隔した側壁１９４との間に形成されている。
【００３９】
側壁１９３には切り欠き１９５が形成されており、側壁１９４には切り欠き１９６が形成されている。切り欠き１９５と切り欠き１９６とは排出口１９２の伸延方向に関してほぼ同じ位置に配置されている。
【００４０】
ここで、本実施の形態においても、収容部１０内に収容された供給マガジン１９０は、印画紙２の幅方向に沿って移動可能である。そのため、供給マガジン１９０が第１位置に配置されている状態と第２位置に配置されている状態では、先端検出センサ２２と切り欠き１９５、１９６との位置関係が変化する。図１０は、先端検出センサと切り欠きとの位置関係を示す図である。図１０（ａ）は、供給マガジン１９０が第１位置に配置されている状態を示し、図１０（ｂ）は、供給マガジン１９０が第２位置に配置されている状態を示している。
【００４１】
供給マガジン１９０が第１位置に配置されている状態では、図１０（ａ）に示すように、先端検出センサ２２の発光部２２ａと受光部２２ｂとが切り欠き１９５、１９６の内側（図１０では切り欠き１９５、１９６の左端部近傍）で対向しており、発光部２２ａから出射された光は、切り欠き１９５、１９６を通過するように直進して受光部２２ｂに到達する。また同様に、供給マガジン１９０が第２位置に配置されている状態では、図１０（ｂ）に示すように、先端検出センサ２２の発光部２２ａと受光部２２ｂとが切り欠き１９５、１９６の内側（図１０では切り欠き１９５、１９６の右端部近傍）で対向しており、発光部２２ａから出射された光は、切り欠き１９５、１９６を通過するように直進して受光部２２ｂに到達する。
【００４２】
以上のように、本実施の形態の写真処理装置では、ユニフォミティのためのテスト露光を行う際に供給マガジン１９０を主走査方向に移動させた場合でも、供給マガジン１９０の移動に伴って、先端検出センサ２２の発光部２２ａから受光部２２ｂに向かう光路が供給マガジン１９０の側壁１９３、１９４により遮られることがなくなり、発光部２２ａから出射された光は受光部２２ｂに到達するので、印画紙の先端部を適正に検出することができる。
【００４３】
また、発光部２２ａから出射された光は切り欠き１９５、１９６内を直進して受光部２２ｂに到達するので、排出口１９２の周囲の側壁１９３、１９４に形成される切り欠き１９５、１９６の形状を、第１の実施の形態のように、発光部２２ａから出射された光が反射板による反射を経て受光部２２ｂに到達するような形状に形成しなくてもよいので、切り欠きの形成工程が簡略化される。
【００４４】
以上、本発明の好適な実施の形態について説明したが、本発明は上述の実施の形態に限られるものではなく、特許請求の範囲に記載した限りにおいて様々な設計変更が可能なものである。例えば、上述の第１の実施の形態では、光路形成部として、供給マガジン９０の側壁９３、９４には切り欠き９５、９６が形成されると共に、その内側面に反射板９７、９８が配置されており、第２の実施の形態では、光路形成部として、供給マガジン１９０の側壁１９３、１９４には比較的広い幅の切り欠き１９５、１９６が形成されているが、光路形成部の構成は変更可能である。従って、上述の第１の実施の形態においては、切り欠き９５、９６の幅及び形状（内側面の傾斜角度など）は、供給マガジン９０が移動した場合でも、発光部２２ａから出射された光が、反射板で複数回反射することにより、切り欠き９５、９６を通過して、受光部２２ｂに到達する範囲で変更してもよい。
【００４５】
また、上述の第２の実施の形態では、供給マガジン１９０の側壁１９３、１９４には、供給マガジン１９０が第１位置に配置された状態において発光部２２ａから出射された光が受光部２２ｂに向かって直進するときの光路に対応した位置、及び、供給マガジン１９０が第２位置に配置された状態において発光部２２ａから出射された光が受光部２２ｂに向かって直進するときの光路に対応した位置を含む領域に形成された１つの比較的広い幅の切り欠き１９５、１９６が形成されているが、供給マガジン１９０の側壁１９３、１９４には、供給マガジン１９０が第１位置に配置された状態において発光部２２ａから出射された光が受光部２２ｂに向かって直進するときの光路に対応した位置、及び、供給マガジン１９０が第２位置に配置された状態において発光部２２ａから出射された光が受光部２２ｂに向かって直進するときの光路に対応した位置に別々の切り欠きが複数形成されていてもよい。
【図面の簡単な説明】
【００４６】
【図１】本発明の第１の実施の形態に係る写真処理装置の概略構成を示す図である。
【図２】図１に示す扉体を開いた状態を示す図である。
【図３】図１に示す収容室（供給マガジンが収容されていない状態）を写真処理装置の前面から観た図である。
【図４】供給マガジンが収容室内で移動する様子を示す模式図である。
【図５】図１に示す収容室に収容される供給マガジンの構成を示す図である。
【図６】側壁の切り欠き近傍の上面図である。
【図７】先端検出センサと切り欠きとの位置関係を示す図である。
【図８】本発明の第１の実施の形態の変形例における先端検出センサと切り欠きとの位置関係を示す図である。
【図９】本発明の第２の実施の形態に係る写真処理装置に収容される供給マガジンの構成を示す図である。
【図１０】先端検出センサと切り欠きとの位置関係を示す図である。
【符号の説明】
【００４７】
１  写真処理装置
２  印画紙（感光材料）
３  プリント筐体（筐体）
１０  収容室
２２  先端検出センサ（センサ）
２２ａ  発光部
２２ｂ  受光部
３２  マガジン台（移動機構）
９０、１９０  供給マガジン
９２、１９２  排出口
９３、９４、１９３、１９４  側壁
９５、９６、１９５、１９６  切り欠き（光路形成部）
９７、９８  反射板（光路形成部）
【図１】
2007033922.tif 000003
【図２】
2007033922.tif 000004
【図３】
2007033922.tif 000005
【図４】
2007033922.tif 000006
【図５】
2007033922.tif 000007
【図６】
2007033922.tif 000008
【図７】
2007033922.tif 000009
【図８】
2007033922.tif 000010
【図９】
2007033922.tif 000011
【図１０】
2007033922.tif 000012